(57)【要約】【課題】特定の状況および動作に関して、自機に対応するリモコンを用いずに遠隔操作が可能となる電子機器、およびそれらの電子機器がネットワーク接続された機器ネットワークシステムを提供する。【解決手段】照明機器１０は、自機リモコン２０による遠隔操作が可能な電子機器であり、照明機器１０の周囲が暗い状況（特定状況）であることを判断するための照度センサ１４を有している。照明機器１０は、照度センサ１４によって照明機器１０が特定状況にあると判断される状況で他機リモコン３０からのリモコン信号Ｒ２を受信すると、制御部１６が照明部１３を点灯させる特定動作を行う。【選択図】図１
2019205022.tif 000002
【特許請求の範囲】
【請求項１】
リモコンによる遠隔操作が可能な電子機器であって、
当該電子機器が特定状況にあることを判断する状況確認部と、
前記状況確認部により当該電子機器が特定状況にあると判断される状況で他機リモコンからのリモコン信号を受信した場合に、当該電子機器に特定動作を行わせる制御部とを有していることを特徴とする電子機器。
【請求項２】
請求項１に記載の電子機器であって、
当該電子機器は、照明部を備えた照明機器であり、
前記状況確認部は、少なくとも照度センサを含んでおり、
前記特定状況は、その判断基準の一つとして、前記照度センサによって検知される照度が所定の閾値以下であるとの条件を含むものであり、
前記制御部は、前記特定動作として前記照明部に点灯を行わせることを特徴とする電子機器。
【請求項３】
請求項１に記載の電子機器であって、
当該電子機器は、音響部を備えた音響機器であり、
前記状況確認部は、周囲の電話機が通話中であるか否かの認識を可能とするものであり、
前記特定状況は、前記状況確認部によって前記電話機が通話中であると判断される状況であり、
前記制御部は、前記特定動作として前記音響部の音量を下げることを特徴とする電子機器。
【請求項４】
請求項１に記載の電子機器であって、
当該電子機器は、動作音の発生する複数の動作モードを有し、かつ動作モードによって動作音の強弱が変化する電子機器であり、
前記状況確認部は、周囲の電話機が通話中であるか否かの認識を可能とするものであり、
前記特定状況は、前記状況確認部によって前記電話機が通話中であると判断される状況であり、
前記制御部は、前記特定動作として前記動作音を低減させる動作モードへの切替を行うことを特徴とする電子機器。
【請求項５】
請求項１から４の何れか１項に記載の電子機器であって、
前記特定動作の実行機能を任意にオン／オフできることを特徴とする電子機器。
【請求項６】
リモコンによる遠隔操作が可能な複数種類の電子機器を、ハブ機器を介してネットワーク接続した機器ネットワークシステムであって、
前記複数種類の電子機器の中の少なくとも一つは、当該電子機器が特定状況にあると判断される状況で他機リモコンからのリモコン操作があった場合に、当該電子機器に特定動作を行わせる制御部を有しており、
前記ハブ機器には、前記特定動作を行う電子機器が特定状況にあることを判断する状況確認部が備えられていることを特徴とする機器ネットワークシステム。
【請求項７】
請求項６に記載の機器ネットワークシステムであって、
前記ハブ機器は、ネットワーク接続されている各電子機器の動作状況を認識する機能を有しており、前記状況確認部は認識した各電子機器の動作状況を前記特定状況の判断に利用する構成であることを特徴とする機器ネットワークシステム。
【発明の詳細な説明】
【技術分野】
【０００１】
本発明は、リモコン操作可能な電子機器、およびそれらの電子機器がネットワーク接続された機器ネットワークシステムに関する。
【背景技術】
【０００２】
近年における多くの電子機器（主に家庭用電子機器）は、リモコンによる遠隔操作が可能となっている。電子機器をリモコンによって遠隔操作するに当たって、リモコンは所定のリモコンコードに対応するリモコン信号（赤外線信号など）を電子機器に向けて送信する（特許文献１）。
【０００３】
電子機器では、リモコンによる遠隔操作が可能な機能とリモコンコードとが対応づけられて記憶されている。リモコン信号を受信した電子機器は、そのリモコン信号におけるリモコンコードを解析し、自機に記憶されているリモコンコードであるか否かを判断する。そして、自機に記憶されているリモコンコードであればそのリモコンコードと対応付けられた機能を実行する。一方、自機に記憶されているリモコンコードでなければ、受信したリモコン信号は他の電子機器に向けたものであると判断し、そのリモコン信号には反応しない。
【先行技術文献】
【特許文献】
【０００４】
【特許文献１】特開２０１５−００５９３７号公報
【発明の概要】
【発明が解決しようとする課題】
【０００５】
従来の電子機器は、予め記憶されているリモコンコードに対応するリモコン信号のみに反応し、それ以外のリモコン信号には反応しない。言い換えれば、自機に対応するリモコンのみによって操作が可能であり、他機のリモコンでは操作が行えない。これにより、従来の電子機器は、他機のリモコン信号による誤動作を防止するようになっている。
【０００６】
一方、電子機器をリモコンで操作しようとする場合、ある特殊な状況では、リモコンが見つけにくかったり、あるいは、離れた位置にあるリモコンを取りに行けなかったりすることが起こり得る。
【０００７】
例えば、夜間に照明が消灯された部屋においてリモコンで照明を点けようとしても、部屋が暗くてリモコンが見つけづらいといったケースが考えられる。あるいは、テレビの視聴中に電話が掛かってきて、その電話を取った後にテレビの音量を下げようとしても、テレビのリモコンが近くにないといったケースが考えられる。
【０００８】
本発明は、上記課題に鑑みてなされたものであり、特定の状況および動作に関して、自機に対応するリモコンを用いずに遠隔操作が可能となる電子機器、およびそれらの電子機器がネットワーク接続された機器ネットワークシステムを提供することを目的とする。
【課題を解決するための手段】
【０００９】
上記の課題を解決するために、本発明の第１の態様である電子機器は、リモコンによる遠隔操作が可能な電子機器であって、当該電子機器が特定状況にあることを判断する状況確認部と、前記状況確認部により当該電子機器が特定状況にあると判断される状況で他機リモコンからのリモコン信号を受信した場合に、当該電子機器に特定動作を行わせる制御部とを有していることを特徴としている。
【００１０】
上記の構成によれば、特定の状況および動作に関して、自機に対応するリモコンを用いずに遠隔操作が可能となる。例えば、リモコンが見つけにくかったり、あるいは、離れた位置にあるリモコンを取りに行けなかったりする特定状況でも、他機リモコンを用いて、そのような特定状況で要求される特定動作を行わせることができる。
【００１１】
また、上記電子機器は、照明部を備えた照明機器であり、前記状況確認部は、少なくとも照度センサを含んでおり、前記特定状況は、その判断基準の一つとして、前記照度センサによって検知される照度が所定の閾値以下であるとの条件を含むものであり、前記制御部は、前記特定動作として前記照明部に点灯を行わせる構成とすることができる。
【００１２】
上記の構成によれば、夜間に照明が消灯された部屋において他機リモコンによって照明を点灯させるといったことが可能となる。例えば、照明が消された暗い部屋で照明機器を点けようとしても、部屋が暗くてリモコンが見つけづらいといったことがある。このような場合、ユーザが手探りで見つけたリモコンを手にとっても、そのリモコンが自機リモコンではなく他機リモコンである可能性があり、その時に手に取った他機リモコンによって照明機器を点灯させることが可能となる。
【００１３】
また、上記電子機器は、音響部を備えた音響機器であり、前記状況確認部は、周囲の電話機が通話中であるか否かの認識を可能とするものであり、前記特定状況は、前記状況確認部によって前記電話機が通話中であると判断される状況であり、前記制御部は、前記特定動作として前記音響部の音量を下げる構成とすることができる。
【００１４】
上記の構成によれば、電話中に他機リモコンによって音響機器の音量を下げるといったことが可能となる。例えば、テレビ（音響機器の一例）の視聴中に電話が掛かってきて、その電話を取った後にテレビの音量を下げようとしてもテレビのリモコンが近くにない場合がある。その時に、手近にある他機リモコンによってテレビの音量を下げることが可能となる。
【００１５】
また、上記電子機器は、動作音の発生する複数の動作モードを有し、かつ動作モードによって動作音の強弱が変化する電子機器であり、前記状況確認部は、周囲の電話機が通話中であるか否かの認識を可能とするものであり、前記特定状況は、前記状況確認部によって前記電話機が通話中であると判断される状況であり、前記制御部は、前記特定動作として前記動作音を低減させる動作モードへの切替を行う構成とすることができる。
【００１６】
上記の構成によれば、例えば、電話を取った時に電子機器の動作音を下げようとしてもその電子機器のリモコンが近くにない場合がある。その時に、手近にある他機リモコンによって電子機器の動作音を下げることが可能となる。
【００１７】
また、上記電子機器は、前記特定動作の実行機能を任意にオン／オフできる構成とすることができる。
【００１８】
また、上記の課題を解決するために、本発明の第２の態様である機器ネットワークシステムは、リモコンによる遠隔操作が可能な複数種類の電子機器を、ハブ機器を介してネットワーク接続した機器ネットワークシステムであって、前記複数種類の電子機器の中の少なくとも一つは、当該電子機器が特定状況にあると判断される状況で他機リモコンからのリモコン操作があった場合に、当該電子機器に特定動作を行わせる制御部を有しており、前記ハブ機器には、前記特定動作を行う電子機器が特定状況にあることを判断する状況確認部が備えられていることを特徴としている。
【００１９】
上記の構成によれば、特定の状況および動作に関して、自機に対応するリモコンを用いずに遠隔操作が可能となる。例えば、リモコンが見つけにくかったり、あるいは、離れた位置にあるリモコンを取りに行けなかったりする特定状況でも、他機リモコンを用いて、そのような特定状況で要求される特定動作を行わせることができる。
【００２０】
また、上記機器ネットワークシステムでは、前記ハブ機器は、ネットワーク接続されている各電子機器の動作状況を認識する機能を有しており、前記状況確認部は認識した各電子機器の動作状況を前記特定状況の判断に利用する構成とすることができる。
【００２１】
上記の構成によれば、ハブ機器が認識する各電子機器の動作状況を特定状況の判断に利用することで、特定状況が成立しているか否かのより確実な判断が可能となる。
【発明の効果】
【００２２】
本発明の電子機器および機器ネットワークシステムは、特定の状況および動作に関して、自機に対応するリモコンを用いずに遠隔操作が可能となるといった効果を奏する。
【図面の簡単な説明】
【００２３】
【図１】実施の形態１に係る照明機器の概略構成を示すブロック図である。
【図２】電子機器において特定動作を実施する場合の処理の流れを説明するフローチャートである。
【図３】実施の形態２に係る音響機器の概略構成を示すブロック図である。
【図４】実施の形態３に係る機器ネットワークシステムの概略構成を示すブロック図である。
【発明を実施するための形態】
【００２４】
〔実施の形態１〕
以下、本発明の実施の形態について、図面を参照して詳細に説明する。本実施の形態１では、本発明を照明機器に適用する場合について例示する。但し、ここでの照明機器とは、照明専用の装置に限定されるものではなく、照明機能を備えた電子機器一般を指すものとする。例えば、天井に設置されるシーリング型の空気調和機において、該空気調和機が照明部を備える場合なども本発明の照明機器に含まれる。
【００２５】
図１は、本実施の形態１に係る照明機器１０の概略構成を示すブロック図である。照明機器１０は、リモコン信号受信部１１、リモコンコード記憶部１２、照明部１３、照度センサ１４、音センサ１５および制御部１６を備えている。また、照明機器１０は、自機に対応する自機リモコン２０によって遠隔操作することが可能となっている。
【００２６】
リモコン信号受信部１１は、自機リモコン２０から送信されるリモコン信号Ｒ１を受信し、これを制御部１６に入力させる。リモコンコード記憶部１２には、自機リモコン２０による遠隔操作が可能な機能と所定のリモコンコードとが対応付けられて記憶されている。自機リモコン２０から送信されるリモコン信号Ｒ１は、リモコンコード記憶部１２に記憶されているリモコンコードを有している。
【００２７】
通常のリモコン操作、すなわち自機リモコン２０による照明機器１０の操作では、制御部１６においてリモコン信号Ｒ１のリモコンコードが解析され、解析されたリモコンコードがリモコンコード記憶部１２に記憶されているリモコンコードと比較される。そして、制御部１６は、リモコン信号Ｒ１のリモコンコードと対応して記憶されている機能を実行させる。例えば、自機リモコン２０による操作が照明部１３のオン／オフを切り替えるものであれば、制御部１６は照明部１３のオン／オフを切り替える制御を行う。
【００２８】
また、リモコン信号受信部１１は、自機リモコン２０から送信されるリモコン信号Ｒ１のみならず、自機には対応しない他機リモコン３０から送信されるリモコン信号Ｒ２をも受信する。リモコン信号Ｒ２が受信された場合も、制御部１６においてリモコン信号Ｒ２のリモコンコードが解析され、解析されたリモコンコードがリモコンコード記憶部１２に記憶されているリモコンコードと比較される。この場合、リモコン信号Ｒ２のリモコンコードはリモコンコード記憶部１２に記憶されていないため、通常の状況では照明機器１０はリモコン信号Ｒ２には反応しない。
【００２９】
但し、本実施の形態１に係る照明機器１０は、ある特定状況で他機リモコン３０からのリモコン信号Ｒ２を受信した場合には、予め定められた特定動作を実行することを特徴とする。このような特定動作について以下に詳細に説明する。
【００３０】
本実施の形態１では、特定動作を実行する状況として、夜間に照明が消灯された部屋において他機リモコン３０によって照明を点灯させる場合を例示する。例えば、照明が消された暗い部屋で照明機器１０を点けようとしても、部屋が暗くてリモコンが見つけづらいといったことがある。このような場合、ユーザが手探りで見つけたリモコンを手にとっても、そのリモコンが自機リモコン２０ではなく他機リモコン３０である可能性がある。その時に、他機リモコン３０によって照明機器１０を点灯させる動作が本実施の形態１における特定動作となる。
【００３１】
図２は、照明機器１０において特定動作を実施する場合の処理の流れを説明するフローチャートである。
【００３２】
先ず、照明機器１０においてリモコン信号が受信されると、そのリモコン信号が自機リモコン２０からのものであるか、他機リモコン３０からのものであるかが判断される（Ｓ１）。この時、受信したリモコン信号のリモコンコードがリモコンコード記憶部１２に記憶されていれば、そのリモコン信号は自機リモコン２０からのものであると判断される。一方、受信したリモコン信号のリモコンコードがリモコンコード記憶部１２に記憶されていなければ、そのリモコン信号は他機リモコン３０からのものであると判断される。
【００３３】
Ｓ１において受信したリモコン信号が自機リモコン２０からのものであれば、処理はＳ２に移行する。すなわち、照明機器１０は、自機リモコン２０からの操作内容に応じた動作（通常動作）を実行する。一方、Ｓ１において受信したリモコン信号が他機リモコン３０からのものであれば、処理はＳ３に移行する。Ｓ３では、特定動作を実行すべき特定状況が成立しているか否かが判断される。
【００３４】
照明機器１０は、特定状況が成立しているか否かを判断するために状況確認部を有している。本実施の形態１では、状況確認部の一例として照度センサ１４が挙げられる。すなわち、上記例での特定動作は夜間に照明が消灯された部屋において他機リモコン３０によって照明機器１０を点灯させる動作であるため、この場合の特定状況は、照明機器１０の周囲が十分に暗い状況とすることが考えられる。したがって、照度センサ１４によって検出される照度が予め設定された閾値以下であれば、照明機器１０の周囲が十分に暗いと判断され、特定状況が成立していると判断することができる。
【００３５】
Ｓ３において特定状況が成立していると判断された場合（Ｓ３でＹｅｓ）、処理はＳ４に移行し、照明機器１０は特定動作を実行する。すなわち、制御部１６は照明部１３を点灯させる。この時の特定動作は、照明機器１０が常夜灯を有するものであれば常夜灯を点灯させる動作であってもよく、照明部１３が光量調節機能を有するものであれば予め設定された所定の光量で照明部１３を設定させるものであってもよい。また、特定動作による照明部１３の点灯は、予め設定された一定時間（例えば数十秒間）だけ行うものであってもよい。
【００３６】
Ｓ３において特定状況が成立していないと判断された場合（Ｓ３でＮｏ）、Ｓ１で受信したリモコン信号は他機リモコン３０のものであるため、照明機器１０は何ら動作を実行しない（Ｓ５）。
【００３７】
尚、上記説明では、最も簡単な制御例として、照度センサ１４のみを用いて特定状況を判断する場合を説明したが、特定状況の判断方法はこれに限定されるものではない。すなわち、ユーザにとって好ましくない状況での特定動作の実行を避けるために、より複雑な特定状況の判断を行うことも可能である。
【００３８】
例えば、ユーザが部屋を意図的に暗くしてテレビなどを視聴している場合に、テレビリモコンでテレビの操作を行う場合がある。このような場合に、部屋が暗いためにテレビリモコンの信号によって照明機器１０に特定動作が生じることはユーザにとって好ましくない。これを避けるためには、照明機器１０に音センサ１５を備え、照度センサ１４および音センサ１５を用いて特定状況を判断することが考えられる。すなわち、照度センサ１４によって検出される照度が予め設定された閾値以下であり、かつ、音センサ１５によって検出される音が予め設定された閾値以下である場合に、特定状況が成立していると判断することができる。これにより、テレビなどを視聴している場合は、音センサ１５によって検出される音が閾値を超え、特定状況が成立していると判断されることを回避できる。
【００３９】
また、照明機器１０は、特定動作の実行機能をユーザが任意にオン／オフできる構成としてもよい。この場合、例えばテレビ視聴中は特定動作の実行機能をオフとし、就寝中は特定動作の実行機能をオンとする使用方法が可能となる。
【００４０】
尚、リモコン信号受信部１１と自機リモコン２０および他機リモコン３０との間の通信方法は特に限定されるものでなく、赤外線通信であってもよく電波通信（例えばBluetooth（登録商標））であってもよい。但し、不所望な特定動作が生じることを避けるためには赤外線通信であることが望ましい。これは、リモコン信号受信部１１と自機リモコン２０および他機リモコン３０との間の通信がBluetoothなどの電波通信によるものであった場合、別の部屋で他人が操作した他機リモコン３０によって不所望な特定動作が生じる可能性があるためである。赤外線通信であれば、そのような不所望な特定動作は生じにくい。
【００４１】
〔実施の形態２〕
本実施の形態２では、本発明を音響機器に適用する場合について例示する。ここでの音響機器とは、オーディオ機器などの音響専用の装置に限定されるものではなく、テレビなどのスピーカを備えた電子機器一般を指すものとする。
【００４２】
図３は、本実施の形態２に係る音響機器４０の概略構成を示すブロック図である。音響機器４０は、リモコン信号受信部４１、リモコンコード記憶部４２、音響部４３、無線通信部４４および制御部４５を備えている。また、音響機器４０は、自機に対応する自機リモコン２０によって遠隔操作することが可能となっている。
【００４３】
リモコン信号受信部４１およびリモコンコード記憶部４２は、図１におけるリモコン信号受信部１１およびリモコンコード記憶部１２と基本的に同じ機能を有する。すなわち、リモコン信号受信部４１によって受信されるリモコン信号は、そのリモコンコードがリモコンコード記憶部４２に記憶されたリモコンコードと比較される。これにより、受信したリモコン信号が、自機リモコン２０からのリモコン信号Ｒ１であるか他機リモコン３０からのリモコン信号Ｒ１であるかが制御部４５により判断される。
【００４４】
本実施の形態２では、特定動作を実行する状況として、電話中に他機リモコン３０によって音響機器４０の音量を下げる場合を例示する。例えば、テレビ（音響機器４０の一例）の視聴中に電話が掛かってきて、その電話を取った後にテレビの音量を下げようとしてもテレビのリモコンが近くにない場合がある。その時に、手近にある他機リモコン３０によってテレビの音量を下げることが本実施の形態２における特定動作となる。
【００４５】
本実施の形態２において、特定動作を実行すべき特定状況は、音響機器４０の近くで電話が通話中であるか否かである。しかしながら、このような特定状況は音響機器４０のみで判断することは困難である。例えば、音響機器４０に音センサを備えても、その音センサによって検知される周囲音が電話の通話によるものなのかを判断することは難しい。
【００４６】
このため、音響機器４０は、状況確認部の一例として無線通信部４４を備えている。無線通信部４４は、音響機器４０の近くの電話機５０が通話中である時に、電話機５０から通話中であることを通知する無線信号Ｒ３を受け取る。この無線信号Ｒ３により、音響機器４０は特定状況が成立している（電話機５０が通話中である）ことを判断することができる。
【００４７】
尚、図３に示す構成にて音響機器４０が特定状況の成立を判断する場合、電話機５０も無線信号Ｒ３を送信するための無線通信部を備えた特別な電話機である必要がある。但し、電話機５０がスマートフォンである場合には、電話機５０に所定のアプリをインストールすることにより、音響機器４０に無線信号Ｒ３を送信する機能を持たせることは容易である。また、音響機器４０と電話機５０とは予めペアリングされることで、電話機５０から音響機器４０への上記通知が許可される構成とすることが好ましい。
【００４８】
本実施の形態２に係る音響機器４０において特定動作を実施する場合の処理の流れは、基本的に実施の形態１の照明機器１０と同様である。
【００４９】
すなわち、リモコン信号受信部４１が他機リモコン３０からのリモコン信号Ｒ２を受信した場合、特定状況が成立しているか（電話機５０が通話中であるか）否かが判断され、特定状況が成立していれば、制御部４５は音響部４３における音量を下げる特定動作を実行する。無論、この特定動作には、音響部４３を消音（ミュート）する動作も含まれる。また、他機リモコン３０からのリモコン信号Ｒ２の受信時、特定状況が成立していなければ、音響機器４０は何ら動作を実行しないことも実施の形態１の照明機器１０と同様である。
【００５０】
尚、上記説明では、無線通信部４４が電話機５０から無線信号Ｒ３を受け取ることで特定状況の成立を判断するものとしたが、本発明はこれに限定されるものではない。例えば、電話機５０が携帯電話やスマートフォンである場合には、基地局から送信される電話機５０に向けての呼出し信号を音響機器４０の無線通信部４４が直接受信し、この呼出し信号の受信によって音響機器４０側で特定状況の成立を判断することも技術的には可能である。
【００５１】
さらに、本実施の形態２に係る特定動作は、音響機器４０への適用に限定されるものではなく、動作音の発生する複数の動作モードを有し、かつ動作モードによって動作音の強弱が変化する電子機器にも適用可能である。
【００５２】
例えば、空気調和機や空気清浄機は複数の送風モードを有し、送風モードの強弱によってファンモータの動作音の強弱も変化する。このような空気調和機や空気清浄機では、特定状況が成立している（電話機５０が通話中である）場合に他機リモコン３０からのリモコン信号Ｒ２を受信すると、送風モードを弱（もしくは送風停止）としファンモータの動作音を低減する特定動作を実行する構成とすることができる。
【００５３】
〔実施の形態３〕
近年、ＩｏＴ（Internet of Things）が普及し、図４に示すように、複数種類の電子機器（照明機器１０、音響機器４０、空気調和機６０）を一つのハブ機器７０に無線ＬＡＮにて接続したシステム（機器ネットワークシステム）として用いることが行われている。また、図４の構成では、リモコン２１，２２，２３のそれぞれが、照明機器１０、音響機器４０および空気調和機６０の自機リモコンであるとする。この構成では、リモコン２１，２２，２３は、ハブ機器７０を介して対応する電子機器を遠隔操作することができる。すなわち、リモコン２１，２２，２３から送信されるリモコン信号Ｒ１１，Ｒ１２，Ｒ１３がハブ機器７０にて受信され、これに応じてハブ機器７０からはリモコン信号Ｒ１１’，Ｒ１２’，Ｒ１３’が各電子機器に送信される。
【００５４】
ハブ機器７０を用いない実施の形態１および２では、特定状況を判断するための状況確認部は電子機器（照明機器１０または音響機器４０）側に備えられていた。これに対し、図４に示すシステムでは、状況確認部は各電子機器に備えるのではなく、ハブ機器７０に備えることが可能である。例えば、図１における照度センサ１４および音センサ１５は照明機器１０ではなくハブ機器７０に備えることが可能であり、図３における無線通信部４４は音響機器４０ではなくハブ機器７０に備えることが可能である。
【００５５】
これにより、例えば、実施の形態１で説明した特定動作を照明機器１０に行わせる場合、特定状況が成立しているかの判断は、照明機器１０ではハブ機器７０によって行われる。すなわち、照明機器１０に対応しないリモコン２１または２３のリモコン信号Ｒ１２またはＲ１３をハブ機器７０が受信したとき、ハブ機器７０は照明機器１０の特定状況が成立しているか（例えば照度が閾値以下であるか）否かを判断する。そして、照明機器１０の特定状況が成立していれば、照明機器１０に特定動作を実行させるためのリモコン信号Ｒ１１’を照明機器１０に送信する。
【００５６】
あるいは、ハブ機器７０によって照明機器１０の特定状況が成立していることが判断された場合、ハブ機器７０は照明機器１０に対して特定状況が成立していることのみを通知する。そして、照明機器１０に対応しないリモコン２１または２３のリモコン信号Ｒ１２またはＲ１３をハブ機器７０が受信したとき、ハブ機器７０はリモコン信号Ｒ１２またはＲ１３に対応するリモコン信号Ｒ１２’またはＲ１３’を送信する。ハブ機器７０が送信したリモコン信号Ｒ１２’またはＲ１３’は照明機器１０においても受信されるため、照明機器１０は特定状況の成立を通知されている状態でリモコン信号Ｒ１２’またはＲ１３’を受信すると、これに応じて特定動作を実行する。
【００５７】
また、図４に示すシステムでは、ハブ機器７０と各電子機器との双方向通信により、ハブ機器７０が各電子機器の動作状況を取得するようにすれば、より確実な特定状況の判断を行うことも可能となる。
【００５８】
例えば、実施の形態１では、照度センサ１４によって検出される照度が予め設定された閾値以下であり、かつ、音センサ１５によって検出される音が予め設定された閾値以下である場合に、照明機器１０の特定状況が成立していると判断できることを説明した。これは、ユーザが部屋を意図的に暗くしてテレビなどを視聴している場合に、テレビリモコンの信号によって照明機器１０に特定動作が生じることを回避するための判断手法である。しかしながら、この判断手法では、ユーザがヘッドホンを用いてテレビの視聴を行っている場合などでは、音センサ１５によってテレビの視聴中であるか否かを判断することができない。
【００５９】
これに対し、図４に示すシステムでは、テレビ（音響機器４０）が動作中であるか否かをハブ機器７０が認識することが可能である。これにより、照度センサ１４によって検出される照度が予め設定された閾値以下であり、かつ、ハブ機器７０においてテレビ（音響機器４０）が動作中でないことが認識されている場合に、照明機器１０の特定状況が成立していると判断することができる。このように、ハブ機器７０が認識する各電子機器の動作状況を特定状況の判断に利用することで、特定状況が成立しているか否かのより確実な判断が可能となる。
【００６０】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６１】
１０    照明機器（電子機器）
１１    リモコン信号受信部
１２    リモコンコード記憶部
１３    照明部
１４    照度センサ（状況確認部）
１５    音センサ（状況確認部）
１６    制御部
２０    自機リモコン
３０    他機リモコン
４０    音響機器（電子機器）
４１    リモコン信号受信部
４２    リモコンコード記憶部
４３    音響部
４４    無線通信部（状況確認部）
４５    制御部
６０    空気調和機（電子機器）
７０    ハブ機器
２１，２２，２３    リモコン
【図１】
2019205022.tif 000003
【図２】
2019205022.tif 000004
【図３】
2019205022.tif 000005
【図４】
2019205022.tif 000006